(57)【要約】      （修正有）【課題】ローカルのＦＡＸ機能なし複合機から、リモートのＦＡＸ有り複合機のＦＡＸ送信機能を用いてＦＡＸ送信を行う。【解決手段】ローカルのＦａｘ機能無し画像処理装置にリモートのＦａｘ機能有り画像処理装置のＦａｘ送信画面を表示させ、ローカルのＦａｘ機能無し画像処理装置の表示画面から入力したコマンドをリモートのＦａｘ機能有り画像処理装置に伝えるコマンド送信手段と、コマンド送信手段により入力されたコマンドに対するリモートからの応答を受信するコマンド受信手段と、Ｆａｘ送信宛先を前記Ｆａｘ送信画面から入力する入力手段と、ローカル側でスキャンさせた画像に前記Ｆａｘ送信宛先を付加してリモート側に送信するデータ送信手段と、リモートのＦａｘ機能有り画像処理装置においてローカルのＦａｘ機能無し画像処理装置から送られてきたデータからＦａｘ送信宛先を取得しＦａｘ送信する手段を有する特徴を持つ画像処理システム。【選択図】        図７
2006222635.tif 000002
【特許請求の範囲】
【請求項１】
ローカルにあるＦａｘ機能無しの画像処理装置からリモートにあるＦａｘ機能有りの画像処理装置のＦａｘ送信画面を表示する表示制御手段と、前記ローカルにあるＦａｘ機能無しの画像処理装置の表示画面から入力したコマンドを前記リモートにあるＦａｘ機能有りの画像処理装置に伝えるためのコマンド送信手段と、前記コマンド送信手段により入力されたコマンドに対するリモートからの応答を受信するためのコマンド受信手段と、Ｆａｘ送信宛先を前記表示制御手段で得られたＦａｘ送信画面から入力する入力手段と、ローカル側でスキャンさせた画像に前記Ｆａｘ送信宛先を付加してリモート側に送信するデータ送信手段と、前記リモートにあるＦａｘ機能有りの画像処理装置においては前記ローカルにあるＦａｘ機能無しの画像処理装置から送信されてきたデータから前記Ｆａｘ送信宛先を取得しＦａｘ送信する手段とを有することを特徴とする画像処理システム。
【請求項２】
請求項１記載の画像処理システムは前記Ｆａｘ機能無しの画像処理装置にデータ制御装置を接続することで実現可能なことを特徴とする画像処理システム。
【請求項３】
請求項１記載の画像処理システムは前記リモートにあるＦａｘ機能有りの画像処理装置にアクセス制御装置を接続することでアクセス制限を追加することが可能なことを特徴とする画像処理システム。
【請求項４】
請求項２または請求項３記載の制御装置はネットワークインターフェースもしくは専用のインターフェースを介して画像処理装置に接続されていることを特徴とする画像処理システム。
【請求項５】
請求項２または請求項３記載の制御装置が物理的に存在している場所は画像処理装置の内部、外部を問わないことを特徴とする画像処理システム。
【請求項６】
請求項２記載のデータ制御装置は画像処理装置同士のコマンドの仲介を行い、リモートにある画像装置のＦａｘ表示画面データを受信するとともに、スキャン画像にＦａｘ送信宛先を付加することを特徴とする画像処理システム。
【請求項７】
請求項３記載のアクセス制御装置は、アクセス可能なユーザーデータリストを所持しており、アクセス可能なユーザーを制限することができる画像処理システム。
【請求項８】
請求項１記載のＦａｘ送信宛先を入力するための入力手段は、直接入力による宛先入力を可能とすることを特徴とする請求項１記載の画像処理システム。
【請求項９】
請求項１記載のＦａｘ送信宛先を入力するための入力手段は、前記リモートにあるＦａｘ有りの画像処理装置の宛先表を前記ローカルにあるＦａｘ無しの画像処理装置上に表示し、Ｆａｘ送信宛先として入力を可能とすることを特徴とする請求項１記載の画像処理システム。
【発明の詳細な説明】
【技術分野】
【０００１】
本発明は、ローカルの画像処理装置には備わっていない機能でも、リモートの画像処理装置がその機能を備えていればローカルの画像処理装置からでもその機能を利用可能とする画像処理システムに関する。
【背景技術】
【０００２】
従来技術においては、特許文献１にあるように、ファックス機能のない複写機の操作パネルからファックス機能を選択指示すると、ネットワーク上のデバイスを検索し、ファックス機能のあるデバイス一覧を操作パネルに表示するといったことがなされていた。
【特許文献１】特開平０８−００６８８４号公報
【発明の開示】
【発明が解決しようとする課題】
【０００３】
しかしながら、前記従来例ではローカルにあるＦａｘ無し複合機の表示装置上に、リモートにあるＦａｘ機能有りのデバイスに対してＦａｘ指示項目を含むユーザインタフェース（以下、ＵＩ）画面は提供されていなかった。このためローカル複合機のＵＩ画面からリモートにあるＦａｘ有り複合機のアドレス帳からアドレスを取得して、宛先を指定してＦａｘ送信することはできなかった。
【０００４】
また、機器毎にＦａｘを付けていたのでは電話回線の数も多くなってしまうため、コストが非常にかかってしまっていた。
【０００５】
本発明は、上記従来技術の課題を解決するためになされたもので、その目的とするところはＦａｘ機能なし複合機のＵＩ画面上に、リモートにあるＦａｘ機能有りの複合機のＦａｘ送信画面を表示し、そのＦａｘ送信画面から送信指示を行うことにより、リモートのＦａｘ機能有り複合機の機能を利用して、Ｆａｘ送信を行うことにある。
【課題を解決するための手段】
【０００６】
上記目的を達成するために、
請求項１記載の発明は、ローカルのＦａｘ機能無し画像処理装置の表示装置上にリモートのＦａｘ機能有り画像処理装置のＦａｘ送信画面を表示し、その表示画面上からリモートのＦａｘ機能有り画像処理装置内の宛先表または、直接入力による宛先設定が可能となる。そしてローカルのＦａｘ機能無し画像処理装置でスキャンした画像に宛先付加してリモートのＦａｘ機能有り画像処理装置に送信することによってリモートのＦａｘ機能を利用してＦａｘ送信することができる。
【０００７】
請求項２記載の発明は、Ｆａｘ機能無しの画像処理装置にデータ制御装置を接続することにより、リモートにあるＦａｘ機能有りの画像処理装置を使用することができる。
【０００８】
請求項３記載の発明は、ローカルのＦａｘ機能無しの画像処理装置からＦａｘ機能有りの画像処理装置のＦａｘ機能を使用可能なユーザーを制限することができる。
【０００９】
請求項４記載の発明は、制御装置の画像処理装置への接続方法としてはイーサネット(登録商標)ケーブルで接続できるだけでなく、専用のインターフェースを用いて接続することもできる。
【００１０】
請求項５記載の発明は、制御装置が物理的に画像処理装置内に配置することを可能とする。また、制御装置を画像処理装置外部の任意の位置に置くことができる。
【００１１】
請求項６記載の発明は、データ制御装置内で画像処理装置間のコマンドの仲介を行うことによってリモートにあるＦａｘ有りの画像処理装置のＦａｘ送信画面や宛先表を表示可能となる。また、データ制御装置内でＦａｘ宛先をスキャンした画像データに付加して送信することによって、リモートのＦａｘ有り複合機の機能を用いてＦａｘ送信が可能となる。
【００１２】
請求項７記載の発明は、Ｆａｘ有りの画像処理装置に接続されているアクセス制御装置内にＦａｘを使用可能なユーザーデータリストを保存しておくことによって、登録されているユーザーにしかＦａｘを使用できなくすることができる。
【００１３】
請求項８記載の発明は、宛先表に入っていない宛先でも直接入力することにより、入力することが出来る。
【００１４】
請求項９記載の発明は、リモートにあるＦａｘ有りの画像処理装置内の宛先表をネットワークを介して取得することによって、ローカルにあるＦａｘ無しの画像処理装置の表示装置上に表示することができるため、リモートにあるＦａｘ有りの画像処理装置内の宛先表を利用することが出来るため、Ｆａｘ宛先の入力が容易になる。
【発明の効果】
【００１５】
請求項１記載の発明によれば、ローカルのＦａｘ機能無し画像処理装置の表示装置上にリモートのＦａｘ機能有り画像処理装置のＦａｘ送信画面を表示し、その表示画面上からリモートのＦａｘ機能有り画像処理装置内の宛先表または、直接入力による宛先設定が可能となる。そしてローカルのＦａｘ機能無し画像処理装置でスキャンした画像に宛先付加してリモートのＦａｘ機能有り画像処理装置に送信することによってリモートのＦａｘ機能を利用してＦａｘ送信することができる。
【００１６】
請求項２記載の発明によれば、請求項１記載の画像処理システムにおいて、Ｆａｘ機能無しの画像処理装置にデータ制御装置を接続することにより、リモートにあるＦａｘ機能有りの画像処理装置を使用することができる。
【００１７】
請求項３記載の発明によれば、請求項１記載の画像処理システムにおいて、ローカルのＦａｘ機能無しの画像処理装置からＦａｘ機能有りの画像処理装置のＦａｘ機能を使用可能なユーザーを制限することができる。
【００１８】
請求項４記載の発明によれば、請求項１記載の画像処理システムにおいて、制御装置の画像処理装置への接続方法としてはイーサネット(登録商標)ケーブルで接続できるだけでなく、専用のインターフェースを用いて接続することもできる。
【００１９】
請求項５記載の発明によれば、請求項１記載の画像処理システムにおいて、制御装置が物理的に画像処理装置内に配置することを可能とする。また、制御装置を画像処理装置外部の任意の位置に置くことができる。
【００２０】
請求項６記載の発明によれば、請求項１記載の画像処理システムにおいて、データ制御装置内で画像処理装置間のコマンドの仲介を行うことによってリモートにあるＦａｘ有りの画像処理装置のＦａｘ送信画面や宛先表を表示可能となる。また、データ制御装置内でＦａｘ宛先をスキャンした画像データに付加して送信することによって、リモートのＦａｘ有り複合機の機能を用いてＦａｘ送信が可能となる。
【００２１】
請求項７記載の発明によれば、請求項１記載の画像処理システムにおいて、Ｆａｘ有りの画像処理装置に接続されているアクセス制御装置内にＦａｘを使用可能なユーザーデータリストを保存しておくことによって、登録されているユーザーにしかＦａｘを使用できなくすることができる。
【００２２】
請求項８記載の発明は、請求項１記載の画像処理システムにおいて、宛先表に入っていない宛先でも直接入力することにより、入力することが出来る。
【００２３】
請求項９記載の発明によれば、請求項１記載の画像処理システムにおいて、リモートにあるＦａｘ有りの画像処理装置内の宛先表をネットワークを介して取得することによって、ローカルにあるＦａｘ無しの画像処理装置の表示装置上に表示することができるため、リモートにあるＦａｘ有りの画像処理装置内の宛先表を利用することが出来るため、Ｆａｘ宛先の入力が容易になる。
【発明を実施するための最良の形態】
【００２４】
以下本発明を実施するための最良の形態を、実施例により詳しく説明する。
【実施例１】
【００２５】
本発明の実施の形態について説明する。図１は本発明にかかる複合機の一般的な構成図を示したものであり、図２は本発明の構成図を示したものである。つまり、Ｆａｘ無し複合機２０１に請求項で言うところのデータ制御装置に相当するコントローラーボックス２０３がネットワークインターフェース３０２を介してイーサネット(登録商標)ケーブルで接続されている。同様にコントローラーボックス２０３のイーサネット(登録商標)への接続もネットワークインターフェース３０５を介して行われる。
【００２６】
以下、図７のフローチャートに従いながら詳細に説明していく。
【００２７】
まずローカルのＦａｘ無し複合機２０１のＵＩ画面上からネットワークに接続されているＦａｘ有り複合機２０２を検索する。検索する際には検索する先のＩＰアドレスがわかっている場合はＩＰアドレスを入力し検索を行う。ＩＰアドレスがわからない場合はネットワーク上にある全てのＦａｘ有り複合機を検索する（ｓ１０１）。ローカルのＦａｘ無し複合機２０１で検索を行うと、検索コマンドがコントローラーボックスに対して送信され、コントローラーボックス内のＦａｘ有り複合機取得制御部３０３において、検索を行う。
【００２８】
図５にこのときのＵＩ画面例を図示している。つまりＩＰアドレスを５０３に入力することでＩＰアドレスに対応したＦａｘ有り複合機が存在しているかどうかを検索し、自動取得ボタン５０４を押下することによりネットワーク上のＦａｘ有り複合機を検索することができる。
【００２９】
Ｆａｘ有り複合機１０１を検索した結果、Ｆａｘ有り複合機が見つかったかどうかを判断し（ｓ１０２）、見つからなかった場合はＵＩ画面上にメッセージを表示して元の画面に戻る（ｓ１０３）。
【００３０】
つまり、コントローラーボックス内のＦａｘ有り複合機取得制御部３０３から、エラーもしくは取得できなかったというメッセージを受け取った場合である。
【００３１】
ｓ１０２でＦａｘ有り複合機２０２が見つかった場合はリモートのＦａｘ有り複合機２０２のＦａｘ表示画面をローカルのＦａｘ無し複合機のＵＩ画面上に追加する（ｓ１０４）。このときのＵＩ画面例は図６であり、６０４が追加されたＦａｘ送信画面に相当するものである。
【００３２】
リモートのＦａｘ有り複合機２０２のＦａｘ表示画面を表示する方法に関して図３，図４を用いて詳しく説明する。Ｆａｘ有り複合機２０２が見つかった場合は、Ｆａｘ無し複合機２０１からＦａｘ画面取得用のコマンドを図３のコントローラーボックスの３０４を介して送信され、Ｆａｘ有り複合機２０２ではそのコマンドを図４の接続確認制御部４０５で取得し、表示メッセージ記憶部４０４に格納されている表示画面６０４をＦａｘ無し複合機２０１に対して送信し、コントローラーボックス内の３０４でその表示画面を受信しＦａｘ無し複合機２０１に対して画面表示を行う。
【００３３】
ｓ１０４で取得したＦａｘ送信画面６０４からリモートの宛先表を選択したかどうかを判断し（ｓ１０５）、リモートの宛先表を選択しなかった場合はＦａｘ送信画面６０４から任意の宛先を入力する（ｓ１０６）。リモートの宛先表を選択した場合はリモートのＦａｘ送信画面を取得した手順でリモートの宛先表をローカルのＦａｘ無し複合機２０１上に表示し、任意の宛先を宛先表から選択する（ｓ１０７）。
【００３４】
ｓ１０６またはｓ１０７で宛先を入力した後は送信する原稿をＦａｘ無し複合機２０１の読取装置に原稿をセットし、スキャンを行う（ｓ１０８）。
【００３５】
Ｆａｘ無し複合機２０１では、ｓ１０８でスキャンした画像とＦａｘ宛先データをコントローラーボックスに対して送り、コントローラーボックス内の３０４で画像データにＦａｘ宛先データを付加してＦａｘ有り複合機２０２に送信する（ｓ１０９）。
【００３６】
Ｆａｘ有り複合機２０２ではＦａｘ無し複合機２０１から送信されてきた、画像データにＦａｘ宛先データが付加されたデータをデータ受信部４０３で受信し、Ｆａｘ制御部４０２に対してデータを渡し、Ｆａｘ制御部４０２でＦａｘ宛先に対してＦａｘ送信を行う（ｓ１１０）。
【実施例２】
【００３７】
本発明の第２の実施例について説明する。本実施例の構成図は図９、フローチャートは図１０に示している。構成図として実施例１と異なるところはリモートのＦａｘ有り複合機にアクセス制限機能付きのコントローラーボックス７０４が接続されている点である。フローチャートにおける違いは、ｓ１０１の前のステップとしてｓ２０１を追加し、ｓ１０１の後のステップとしてｓ２０３を追加した以外は同じ処理となるため、変更点のみについて説明する。
【００３８】
まず、Ｆａｘ無し複合機に対してユーザー名とパスワードを入力してログインを行う（ｓ２０１）。ｓ２０２においてＦａｘ有り複合機を検索する際にログインしたユーザー名とパスワードをリモートのＦａｘ有り複合機に対して送信を行い、アクセス制限機能つきコントローラーボックス７０４では送信されてきたユーザー名とパスワードを取得し、アクセス権限機能付きコントローラー内に保存されているデータベースに登録されているかをユーザー認証制御部５０３で判断し、データベースに登録されていない場合はＦａｘ有り複合機を使う権限がないものとみなしコントローラーボックス７０２に対してエラーを返すことにより、アクセス制限を行う。
【図面の簡単な説明】
【００３９】
【図１】複合機の一般的な構成図である。
【図２】本実施例１の機器構成図である。
【図３】Ｆａｘ無し複合機に接続されるコントローラーボックスの内部モジュール構成図である。
【図４】Ｆａｘ有り複合機の内部構成図である。
【図５】ローカルのＦａｘ無し複合機からリモートにあるＦａｘ有り複合機を検索するための検索画面例を示す図である。
【図６】Ｆａｘ有り複合機からＦａｘ送信画面を取得した際の画面遷移の様子を示した画面例を示す図である。
【図７】実施例１のフローチャート図である。
【図８】アクセス制限を行うためのコントローラーボックスの内部モジュール構成図である。
【図９】本実施例２の機器構成図である。
【図１０】実施例２のフローチャート図である。
【符号の説明】
【００４０】
２０１  Ｆａｘ無し複合機
２０２  Ｆａｘ有り複合機
２０３  コントローラーボックス
３０２  ネットワークインターフェース
３０３  Ｆａｘ有り複合機取得制御部
３０４  コントローラーボックス
３０５  ネットワークインターフェース
４０２  Ｆａｘ制御部
４０３  データ受信部
４０４  表示メッセージ記憶部
４０５  接続確認制御部
【図１】
2006222635.tif 000003
【図２】
2006222635.tif 000004
【図３】
2006222635.tif 000005
【図４】
2006222635.tif 000006
【図５】
2006222635.tif 000007
【図６】
2006222635.tif 000008
【図７】
2006222635.tif 000009
【図８】
2006222635.tif 000010
【図９】
2006222635.tif 000011
【図１０】
2006222635.tif 000012